(57)【要約】【課題】情報提供者が番組を視聴中に放送事業者へ放送用素材をリアルタイムに送信することにより、放送事業者が提供された放送用素材を当該番組中でリアルタイムに利用することが可能な放送連動情報提供システムを提供する。【解決手段】素材情報取得要求を送信する放送連動情報送信装置と素材情報を放送連動情報送信装置へ送信する放送連動情報受信装置とを具備する放送連動情報提供システムであって、放送連動情報送信装置は、放送番組と連動して素材情報取得要求を送信する放送連動情報送信手段と、放送連動受信装置からの素材情報を受信する素材情報受付手段とを備え、放送連動情報受信装置は、放送番組と連動した素材情報取得要求を受信する放送連動情報受信手段と、素材情報を蓄積する素材蓄積手段と、素材情報取得要求を受信した場合にユーザが選択した所望の素材情報を放送連動情報送信装置へ送信する素材情報提供手段とを備える。【選択図】  図１
2004260546.tif 000002
【特許請求の範囲】
【請求項１】
素材情報取得要求を送信する放送連動情報送信装置と、前記放送連動情報送信装置から素材情報取得要求を受信した場合に素材情報を前記放送連動情報送信装置へ送信する放送連動情報受信装置とを具備する放送連動情報提供システムであって、前記放送連動情報送信装置は、放送番組と連動して素材情報取得要求を送信する放送連動情報送信手段と、前記放送連動受信装置からの素材情報を受信する素材情報受付手段とを備え、前記放送連動情報受信装置は、放送番組と連動した素材情報取得要求を受信する放送連動情報受信手段と、素材情報を蓄積する素材蓄積手段と、前記放送連動情報受信手段において素材情報取得要求を受信した場合に、ユーザが選択した前記素材蓄積手段に蓄積された所望の素材情報を前記放送連動情報送信装置へ送信する素材情報提供手段とを備えることを特徴とする放送連動情報提供システム。
【請求項２】
素材情報受付手段において受信した素材情報の対価を決定し、放送連動情報受信装置へ還元する対価還元手段とを更に備えたことを特徴とする請求項１記載の放送連動情報送信装置。
【請求項３】
素材情報受付手段において受信した素材情報を暗号化して管理する素材暗号管理手段と、前記素材暗号管理手段において管理された素材情報を復号して出力する復号素材提供手段とを更に備えたことを特徴とする請求項１記載の放送連動情報送信装置。
【発明の詳細な説明】
【０００１】
【発明の属する技術分野】
本発明は、放送連動情報提供システムに関し、更に詳しくは、情報提供者が番組を視聴中に放送事業者へ放送用素材をリアルタイムに送信することにより、放送事業者が提供された放送用素材を当該番組中でリアルタイムに利用することが可能な放送連動情報提供システムに関する。
【０００２】
【従来の技術】
従来の情報提供方法は、一般ユーザーから集めた情報をオークションにかけ相当する料金で販売するというものであった（例えば、特許文献１参照）。
【０００３】
【特許文献１】
実用新案登録第３０８６６２６号公報
【０００４】
【発明が解決しようとする課題】
しかしながら、従来の情報提供方法では、ＦＡＸやＰＣといった別の手段を使って情報提供する必要があり、データ放送などの放送連動情報を生かして受信機から直接情報提供するという手段がなかった。
【０００５】
本発明は、上記問題点に鑑みて成されたもので、情報提供者が、番組を視聴中に、放送事業者から放送連動情報を受信した場合に、保持する静止画や動画等の放送に使用可能な素材情報を放送事業者に対して送信することにより、放送事業者が素材情報を当該番組中で利用することができ、また、素材情報の対価を計算し情報提供者へと還元することが可能な放送連動情報提供システムを提供することを目的とする。
【０００６】
【課題を解決するための手段】
本発明の請求項１に係る放送連動情報提供システムは、素材情報取得要求を送信する放送連動情報送信装置と、放送連動情報送信装置から素材情報取得要求を受信した場合に素材情報を放送連動情報送信装置へ送信する放送連動情報受信装置とを具備する放送連動情報提供システムであって、放送連動情報送信装置は、放送番組と連動して素材情報取得要求を送信する放送連動情報送信手段と、放送連動受信装置からの素材情報を受信する素材情報受付手段とを備え、放送連動情報受信装置は、放送番組と連動した素材情報取得要求を受信する放送連動情報受信手段と、素材情報を蓄積する素材蓄積手段と、放送連動情報受信手段において素材情報取得要求を受信した場合に、ユーザが選択した素材蓄積手段に蓄積された所望の素材情報を放送連動情報送信装置へ送信する素材情報提供手段とを備えることを特徴とする。
【０００７】
また、本発明の請求項２に係る放送連動情報送信装置は、請求項１の構成に加え、素材情報受付手段において受信した素材情報の対価を決定し、放送連動情報受信装置へ還元する対価還元手段とを更に備えたことを特徴とする。
【０００８】
また、本発明の請求項３に係る放送連動情報送信装置は、請求項１の構成に加え、素材情報受付手段において受信した素材情報を暗号化して管理する素材暗号管理手段と、素材暗号管理手段において管理された素材情報を復号して出力する復号素材提供手段とを更に備えたことを特徴とする。
【０００９】
【発明の実施の形態】
（実施の形態１）
図１は、本発明の実施の形態１に係る放送連動情報提供システムの構成を示すブロック図である。放送連動情報提供システムは、放送事業者側の装置である放送連動情報送信装置１００と情報提供者側の装置である放送連動情報受信装置２００から構成される。
【００１０】
放送連動情報送信装置１００は、番組放送と連動させて、募集する情報や情報送り先を放送連動情報として送信する放送連動情報送信部１０１と、放送連動情報受信装置２００からの素材情報を受信する素材情報受付部１０２から構成される。ここで、放送連動情報は、例えば、視聴者参加型の番組で写真を募集したりする場合は、データをアップロードするためのインターネットアドレスとなる。放送連動情報送信装置１００は、素材情報受付部１０２にて取得した素材情報を、現在放送中の番組中で視聴者からの持ちネタ情報として紹介するなどして利用することができる。
【００１１】
放送連動情報受信装置２００は、放送連動情報送信装置１００からの放送連動情報を受信する放送連動情報受信部２０１と、素材蓄積部２０３に蓄積された素材情報を、放送事業者から放送連動情報を受信した場合にアップロード用アプリを利用して放送連動情報送信装置１００へ送信する素材情報提供部２０２と、静止画や動画等の素材情報を蓄積する素材蓄積部２０３から構成される。素材蓄積部２０３は、ＳＤカード等の蓄積媒体に静止画や動画、音楽等の情報を蓄積するものである。なお、素材情報は、ＩＥＥＥ１３９４、ＵＳＢ等のデジタルインタフェースを用いて、デジタルビデオカメラやデジタルスチルカメラ等の周辺機器より取得するようにしてもよい。
【００１２】
次に、素材情報提供部２０２の処理について、図２、図３を用いて説明する。図２は、素材情報提供部２０２の処理内容を示すフローチャートであり、図３は、素材蓄積部２０３のデータ構成を示す図である。素材情報提供部２０２は、放送連動情報に含まれる「放送素材募集」アイコンをユーザーが選択した場合（Ｓ２０１でＹＥＳ）、図３に示すような素材の形態別にコンテンツの内容を一覧表示する（Ｓ２０２）。ユーザーは一覧表示されたコンテンツの中から放送事業者へ送るコンテンツを選択し、当該コンテンツを、放送連動情報に含まれる送り先に送信する（Ｓ２０３）。
【００１３】
（実施の形態２）
図４は、本発明の実施の形態２に係る放送連動情報提供システムの構成を示すブロック図である。放送連動情報提供システムは、放送事業者側の装置である放送連動情報送信装置１００と情報提供者側の装置である放送連動情報受信装置２００から構成される。
【００１４】
放送連動情報送信装置１００は、放送連動情報送信部１０１と、素材情報受付部１０２と、対価還元結果通知部１０３と、個人情報蓄積部１０４と、対価還元部１０５から構成される。放送連動情報受信装置２００は、放送連動情報受信部２０１と、素材情報提供部２０２と、素材蓄積部２０３と、対価還元結果受付部２０４から構成される。
【００１５】
ここで、実施の形態１と同符号を付しているものは、実施の形態１と同機能を有するため説明を省略する。
【００１６】
対価還元結果通知部１０３は、素材情報を提供した放送連動情報受信装置２００に対して、対価に関する情報を通知する。
【００１７】
個人情報蓄積部１０４は、放送連動情報受信装置２００の保有者の個人情報を視聴者ＩＤとして蓄積する。図５に個人情報蓄積部１０４のデータ構成を示す。図５に示すように視聴者ＩＤと口座番号（もしくはクレジットカード番号）を対応させたデータ構成となっている。
【００１８】
対価還元部１０５は、素材情報の対価を決定し、放送連動情報受信装置２００に対して対価を還元する。具体的には、個人情報蓄積部１０４に視聴者ＩＤに対応して記憶されている視聴料支払い口座へ電子的振込みを行う等により、対価を還元する。対価の決定方法は使われた素材に対する客観的評価および使用時間などを考慮して決められる。例えば、媒体別基本単価に使用時間と視聴率とを掛け合わせた計算式が考えられる。
【００１９】
対価還元結果受付部２０４は、放送連動情報送信装置１００からの対価に関する情報を、例えば電子メールの形で取得する。
【００２０】
（実施の形態３）
図６は、本発明の実施の形態３に係る放送連動情報提供システムの構成を示すブロック図である。放送連動情報提供システムは、放送事業者側の装置である放送連動情報送信装置１００と、情報提供者側の装置である放送連動情報受信装置２００と、素材情報を管理するデータベース管理装置３００と、他の放送事業者の装置である放送連動情報送信装置４００から構成される。
【００２１】
放送連動情報送信装置１００は、放送連動情報送信部１０１と、素材情報受付部１０２と、素材登録部１０６から構成される。放送連動情報受信装置２００は、放送連動情報受信部２０１と、素材情報提供部２０２と、素材蓄積部２０３から構成される。
【００２２】
データベース管理装置３００は、素材暗号管理部３０１と、素材使用料受付部３０２と、復号素材提供部３０３から構成される。放送連動情報送信装置４００は、素材使用料支払部４０１と、復号素材受付部４０２から構成される。
【００２３】
ここで、放送連動情報送信装置４００は、上述の放送連動情報送信装置１００と同様の機能を有しているが、本実施の形態では、説明の便宜上省略する。また、実施の形態１と同符号を付しているものは、実施の形態１と同機能を有するため説明を省略する。
【００２４】
素材登録部１０６は、放送連動情報受信装置１００からの素材情報をデータベース管理装置３００に転送する。データ転送は、ＦＴＰや電子メール等で行う。
【００２５】
素材暗号部３０１は、素材登録部１０６からの素材情報を暗号化して管理する。具体的には、鍵情報を使って暗号化した素材情報と復号するための鍵情報を別々に管理する。これは著作権保護の観点から容易に情報をもらさないためである。素材情報の管理については、各素材情報に対して使用価格を付け、使用を希望した他の放送事業者に対して概要情報のみ公開する。この概要情報はインターネットなどで適宜閲覧可能なものとする。
【００２６】
素材使用料受付部３０２は、素材使用料支払部４０１からの素材使用料を受け付け、受付情報として復号素材提供部３０３へ出力する。
【００２７】
復号素材提供部３０３は、素材使用料受付部３０２からの受付情報を元に、素材暗号管理部３０１に暗号化して蓄積されている所望の素材情報を復号化して放送連動情報送信装置４００へ出力する。
【００２８】
素材使用料支払部４０１は、放送連動情報送信装置４００が、データベース管理装置３００にて管理されている素材情報を使用したい場合に、素材使用料を送信する。他の放送事業者などは、素材登録部１０６によって公開された素材情報の中から使用したいものを選択し、使用対価をデータベース管理業者に送金する。
【００２９】
復号素材受付部４０２は、復号素材提供部３０３からの素材情報を受信する。
【００３０】
（実施の形態４）
図７は、本発明の実施の形態４に係る放送連動情報提供システムの構成を示すブロック図である。放送連動情報提供システムは、放送事業者側の装置である放送連動情報送信装置１００と、情報提供者側の装置である放送連動情報受信装置２００と、素材情報を管理するデータベース管理装置３００と、他の放送事業者の装置である放送連動情報送信装置４００から構成される。
【００３１】
放送連動情報送信装置１００は、放送連動情報送信部１０１と、素材情報受付部１０２と、対価還元結果通知部１０３と、個人情報蓄積部１０４と、対価還元部１０５と、素材登録部１０６と、素材使用料還元受付部１０７から構成される。
【００３２】
放送連動情報受信装置２００は、放送連動情報受信部２０１と、素材情報提供部２０２と、素材蓄積部２０３と、対価還元結果受付部２０４から構成される。
【００３３】
データベース管理装置３００は、素材暗号管理部３０１と、素材使用料受付部３０２と、復号素材提供部３０３と、素材使用料還元部３０４から構成される。
【００３４】
放送連動情報送信装置４００は、素材使用料支払部４０１と、復号素材受付部４０２から構成される。
【００３５】
ここで、放送連動情報送信装置４００は、上述の放送連動情報送信装置１００と同様の機能を有しているが、本実施の形態では、説明の便宜上省略する。また、実施の形態２及び実施の形態３と同符号を付しているものは、実施の形態２及び実施の形態３と同機能を有するため説明を省略する。
【００３６】
素材使用料還元受付部１０７は、素材使用料還元部３０４から素材使用料の一部を受け取る。これにより、受け取った素材使用料の一部を対価還元部１０５を介して放送連動情報受信装置２００へ還元することも可能である。
【００３７】
素材使用料還元部３０４は、素材使用料受付部３０２が受け取った素材使用料の一部を素材使用料還元受付部１０７へ送信する。ここで、送信する素材使用料は、予め放送連動情報送信装置１００とデータベース管理装置３００間で決められた割合に基づいて算出される。
【００３８】
【発明の効果】
以上のように、本発明の放送連動情報提供システムによれば、放送事業者が番組の視聴中に視聴者から放送と連動した素材情報を取得して、放送中の番組で利用することが可能となる。また、情報提供者に対して素材情報の提供に対する対価を支払うことが可能となる。また、周辺機器との接続により様々な形態による素材蓄積が可能となる。
【００３９】
更に、データベース管理装置にて素材情報を一括で管理することにより、他の放送事業者も素材情報を利用することが可能となる。更に、データベース管理装置に還元された他の放送事業者からの素材使用料の一部を、情報提供者に還元することも可能となる。
【図面の簡単な説明】
【図１】本発明の実施例１における放送連動情報提供システムの構成を示すブロック図
【図２】同実施の形態における素材情報提供部の処理内容を示すフローチャート
【図３】同実施の形態における素材蓄積部のデータ構成を示す図
【図４】本発明の実施例２における放送連動情報提供システムの構成を示すブロック図
【図５】同実施の形態における個人情報蓄積部のデータ構成を示す図
【図６】本発明の実施例３における放送連動情報提供システムの構成を示すブロック図
【図７】本発明の実施例４における放送連動情報提供システムの構成を示すブロック図
【符号の説明】
１００、４００  放送連動情報送信装置
１０１  放送連動情報送信部
１０２  素材情報受付部
１０３  対価還元結果通知部
１０４  個人情報蓄積部
１０５  対価還元部
１０６  素材登録部
１０７  素材使用料還元受付部
２００  放送連動情報受信装置
２０１  放送連動情報受信部
２０２  素材情報提供部
２０３  素材蓄積部
２０４  対価還元結果受付部
３００  データベース管理装置
３０１  素材暗号管理部
３０２  素材使用料受付部
３０３  復号素材提供部
３０４  素材使用料還元部
４０１  素材使用料支払部
４０２  復号素材受付部
【図１】
2004260546.tif 000003
【図２】
2004260546.tif 000004
【図３】
2004260546.tif 000005
【図４】
2004260546.tif 000006
【図５】
2004260546.tif 000007
【図６】
2004260546.tif 000008
【図７】
2004260546.tif 000009